(57)【要約】      （修正有）【課題】内から外まで八つのガード及び五つの強化措置により、防水防塵の問題を解決するＨＳＤコネクタの構造を提供する。【解決手段】主にオスコネクタ及びメスコネクタで構成され、オス本体部品１１に含まれるのはオス本体パーツ１１１と外シールリング１１２である。オス端子部品１２に含まれるのはオス端子１２１、オス端子ガード１２２とオス端子シールリング１２４である。外シールリングをオス本体パーツの嵌合端に套設する。オス端子ガードをオス端子の外周に套設する。オス端子シールリングをオス端子ガードとオス本体パーツの端部の交わる部分に套設する。鋳造品部品１３に含まれるのは鋳造品本体パーツ１３１と鋳造品シールリング１３２である。鋳造品シールリングを鋳造品本体パーツとオス本体パーツが嵌合して交わる部分に套設する。前部シールリングはメス本体パーツの外に套設する。【選択図】図３
0003222434.tif 000002
【実用新案登録請求の範囲】
【請求項１】
オスコネクタとメスコネクタを含み、
該オスコネクタとメスコネクタは互いに嵌合し、
該オスコネクタに含まれるのはオス本体部品、オス端子部品及び鋳造品部品であり、
該メスコネクタに含まれるのはメス本体部品、メス端子部品及びシールド部品であり、
該オス端子部品を鋳造品部品の中に挿設し、オス端子部品と鋳造品部品を組み合わせたものの一端をオス本体部品の中に圧接し、
該メス端子部品とシールド部品をメス本体部品の中に挿設し、
該オス本体部品に含まれるのはオス本体パーツと外シールリングであり、
該オス端子部品に含まれるのはオス端子、オス端子ガードとオス端子シールリングであり、
該外シールリングをオス本体パーツの嵌合端に套設し、
該オス端子ガードをオス端子の外周に套設し、オス端子シールリングをオス端子ガードとオス本体パーツの端部の交わる部分に套設し、
該鋳造品部品に含まれるのは鋳造品本体パーツと鋳造品シールリングであり、鋳造品シールリングを鋳造品本体パーツとオス本体パーツが嵌合して交わる部分に套設し、
メス端子部品とシールド部品をメス本体部品の中に挿設し、該メス本体部品はゴムで作られ、それに含まれるのはメス本体パーツと前部シールリングであり、該前部シールリングはメス本体パーツの外に套設し、
該オスコネクタとメスコネクタが互いに嵌合する時、オス端子部品をメス端子部品の中に挿入し、外シールリングと前部シールリングはオスコネクタとメスコネクタが嵌合して交わる部分に位置し、
該鋳造品本体は嵌合体を含み、該嵌合体はオス本体パーツの中に圧装し、鋳造品シールリングは嵌合体とオス本体パーツが嵌合して交わる部分に套設し、
オス端子ガードに含まれるのはオス端子ガード一とオス端子ガード二であり、該オス端子ガード一を該オス端子の外周に套設し、該オス端子ガード二をオス端子ガード一の外周に套設し、オス端子シールリングをオス端子ガード二とオス本体パーツの端部の交わる部分に套設し、
該メス本体部品は後部シールリングと後部シールカバーを含み、後部シールリングを後部シールカバー内に套設し、且つ後部シールカバーによりメス本体部品の遠嵌合端にしっかりと押し込み、
該オス端子の一端はオス本体パーツから突出し、該オス端子がオス本体パーツの端部から突出した部分に防水接着剤を塗布することを特徴とするＨＳＤコネクタの構造。
【請求項２】
前記メス端子部品はメス端子ガード一、メス端子ガード二を含み、メス端子ガード一はパイプ状を呈し、メス端子ガード二は側壁が開口するパイプ状を呈し、
前記シールド部品は金属で作られ、シールド外部品とシールド中部品を含み、シールド外部品はパイプ状を呈し、シールド中部品は棒状を呈し、横断面は十字の交差する形であり、シールド外部品をメス端子ガード一の外周に套設し、シールド中部品をメス端子ガード一の内腔の中に挿設することを特徴とする請求項１記載のＨＳＤコネクタの構造。
【請求項３】
前記鋳造品部品に含まれるのは鋳造品蓋であり、前記鋳造品蓋は鋳造品本体の遠嵌合端に圧装することを特徴とする請求項１記載のＨＳＤコネクタの構造。
【請求項４】
前記シールド部品に含まれるのはリングであり、前記リングをシールド中部品とメス端子ガード一の内腔の嵌合端の口に套設することを特徴とする請求項１記載のＨＳＤコネクタの構造。
【請求項５】
前記オス本体パーツに含まれるのは溝であり、メス本体パーツに含まれるのは第一引掛点であり、オスコネクタとメスコネクタは互いに嵌合し、溝と第一引掛点は互いにしっかりと引っ掛ることを特徴とする請求項１記載のＨＳＤコネクタの構造。
【請求項６】
前記メス本体部品に第二引掛点を設け、後部シールカバーの内部に引掛スロットを設置し、メス本体部品と後部シールリングを組み立てる時、第二引掛点と引掛スロットは互いにしっかりと引っ掛ることを特徴とする請求項１記載のＨＳＤコネクタの構造。
【請求項７】
前記メス本体パーツにプッシュプレートとプッシュバーを設け、プッシュプレートに滑り防止模様を具有し、プッシュプレートの一端は上向きに彎曲して変形する伸縮可能のプッシュバーであることを特徴とする請求項１記載のＨＳＤコネクタの構造。
【請求項８】
前記シールド外部品の内側に引掛点を設け、メス端子ガード一に引掛スロットを設け、メス端子ガード一をシールド外部品の中に挿入する時、引掛点はしっかりと引掛スロットと引っ掛り、シールド外部品に外向きに反る引掛タングを設置し、メス本体パーツの内側に第二引掛スロットを設け、シールド外部品をメス本体パーツに挿入するとき、引掛タングと第二引掛スロットは互いにしっかり引っ掛って固定することを特徴とする請求項１記載のＨＳＤコネクタの構造。
【請求項９】
前記メス端子ガード一に端子引掛棒を設け、メス端子ガード二に端子槽を設け、メス端子ガード一とメス端子ガード二がしっかりと引っ掛る時、端子引掛棒は端子槽の中にて引っ掛ることを特徴とする請求項１記載のＨＳＤコネクタの構造。
【請求項１０】
前記オス端子ガード一の端部には外向きに反る斜めスロットを具有し、オス端子の一端に斜めスロットの反り具合と同じ彎曲端を具有し、オス端子をオス端子ガード一の中に設置するとき、彎曲端は斜めスロットに挿入してしっかり引っ掛けることができることを特徴とする請求項１記載のＨＳＤコネクタの構造。
【考案の詳細な説明】
【技術分野】
【０００１】
本考案はＨＳＤコネクタの分野に関し、特に一種の防水防塵のＨＳＤコネクタの構造に関する。
【背景技術】
【０００２】
ＨＳＤコネクタとは即ち（HSD：High Speed Data用 コネクタ）ハイスピードデータコネクタであり、通信、自動車分野などで広く応用され、主に高速信号と電流トランスミッションに用いられる。
【０００３】
従来のＨＳＤコネクタではＩＰＸＸの防水、防塵のニーズを満足させることができず、使用する環境の湿度及びホコリが多い際には、機能的に故障しやすくなることを鑑みて、改善する必要があった。
【先行技術文献】
【特許文献】
【０００４】
【特許文献１】特開２０１８−６０６６６号公報
【考案の概要】
【考案が解決しようとする課題】
【０００５】
前記公知構造の欠点を解決するため、本考案は構造を優良化し、特にシーリング及び頑丈に行うことにより、従来設備がＩＰＸＸの防水＆防塵のニーズを満足させられない問題を解決するＨＳＤコネクタを提供することを主な課題とする。
【課題を解決するための手段】
【０００６】
上述の目的を解決するために、本考案はＨＳＤコネクタの構造を提供するものであり、オスコネクタとメスコネクタを含む。オスコネクタとメスコネクタは互いに嵌合する。
【０００７】
オスコネクタに含まれるのはオス本体部品、オス端子部品及び鋳造品部品である。メスコネクタに含まれるのはメス本体部品、メス端子部品及びシールド部品である。
【０００８】
オス端子部品を鋳造品部品の中に挿設する。オス端子部品と鋳造品部品を組み合わせたものの一端をオス本体部品の中に圧接する。メス端子部品とシールド部品をメス本体部品の中に挿設する。
【０００９】
オス本体部品に含まれるのはオス本体パーツと外シールリングである。オス端子部品に含まれるのはオス端子、オス端子ガードとオス端子シールリングである。
【００１０】
外シールリングをオス本体パーツの嵌合端に套設する。オス端子ガードをオス端子の外周に套設する。オス端子シールリングをオス端子ガードとオス本体パーツの端部の交わる部分に套設する。
【００１１】
鋳造品部品に含まれるのは鋳造品本体パーツと鋳造品シールリングである。鋳造品シールリングを鋳造品本体パーツとオス本体パーツが嵌合して交わる部分に套設する。メス端子部品とシールド部品をメス本体部品の中に挿設する。
【００１２】
メス本体部品はゴムで作られ、それに含まれるのはメス本体パーツと前部シールリングである。前部シールリングはメス本体パーツの外に套設する。
【００１３】
オスコネクタとメスコネクタが互いに嵌合する時、オス端子部品をメス端子部品の中に挿入する。外シールリングと前部シールリングはオスコネクタとメスコネクタが嵌合して交わる部分に位置する。
【００１４】
最良実施例として、鋳造品本体は嵌合体を含む。嵌合体はオス本体パーツの中に圧装する。鋳造品シールリングは嵌合体とオス本体パーツが嵌合して交わる部分に套設する。
【００１５】
最良実施例として、オス端子ガードに含まれるのはオス端子ガード一とオス端子ガード二である。オス端子ガード一をオス端子の外周に套設する。オス端子ガード二をオス端子ガード一の外周に套設する。オス端子シールリングをオス端子ガード二とオス本体パーツの端部の交わる部分に套設する。
【００１６】
最良実施例として、メス本体部品は後部シールリングと後部シールカバーを含む。後部シールリングを後部シールカバー内に套設し、且つ後部シールカバーによりメス本体部品の遠嵌合端にしっかりと押し込まれる。
【００１７】
最良実施例として、メス端子部品はメス端子ガード一、メス端子ガード二を含む。メス端子ガード一はパイプ状を呈す。メス端子ガード二は側壁が開口するパイプ状を呈する。
【００１８】
シールド部品は金属で作られ、シールド外部品とシールド中部品を含む。シールド外部品はパイプ状を呈する。シールド中部品は棒状を呈し、横断面は十字の交差する形である。
【００１９】
シールド外部品をメス端子ガード一の外周に套設する。シールド中部品をメス端子ガード一の内腔の中に挿設する。
【００２０】
最良実施例として、オス端子の一端はオス本体パーツから突出する。オス端子がオス本体パーツの端部から突出した部分に防水接着剤を塗布する。
【００２１】
最良実施例として、鋳造品部品に含まれるのは鋳造品蓋である。鋳造品蓋は鋳造品本体の遠嵌合端に圧装する。
【００２２】
最良実施例として、シールド部品に含まれるのはリングである。リングをシールド中部品とメス端子ガード一の内腔の嵌合端の口に套設する。
【００２３】
最良実施例として、オス本体パーツに含まれるのは溝であり、メス本体パーツに含まれるのは第一引掛点である。オスコネクタとメスコネクタは互いに嵌合し、溝と第一引掛点は互いにしっかりと引っかかる。
【００２４】
最良実施例として、メス本体部品に第二引掛点を設け、後部シールカバーの内部に引掛スロットを設置する。メス本体部品と後部シールリングを組み立てる時、第二引掛点と引掛スロットは互いにしっかりと引っ掛る。
【００２５】
最良実施例として、メス本体パーツにプッシュプレートとプッシュバーを設け、プッシュプレートに滑り防止模様を具有する。プッシュプレートの一端は上向きに彎曲して変形する伸縮可能のプッシュバーである。
【００２６】
プッシュプレートは、第一引掛点がオス本体パーツにある溝に引掛ける或いは外す際に用いられる。
【００２７】
最良実施例として、シールド外部品に外向きに反る引掛タングを設置し、メス本体パーツの内側に第二引掛スロットを設ける。シールド外部品をメス本体パーツに挿入するとき、引掛タングと第二引掛スロットは互いにしっかり引っ掛って固定する。
【００２８】
シールド外部品の内側に引掛点を設け、メス端子ガード一に引掛スロットを設ける。メス端子ガード一をシールド外部品の中に挿入する時、引掛点はしっかりと引掛スロットと引っ掛る。端子をシールド外部品内に固定すると、ダブルの引っ掛りで更に安定し、シールド外部品と端子が本体内にて簡単に緩んで外れないことを保証する。
【００２９】
最良実施例として、メス端子ガード一に端子引掛棒を設け、メス端子ガード二に端子槽を設ける。メス端子ガード一とメス端子ガード二がしっかりと引っ掛る時、端子引掛棒は端子槽の中にて引っ掛る。
【００３０】
最良実施例として、オス端子ガード一の端部には外向きに反る斜めスロットを具有し、オス端子の一端に斜めスロットの反り具合と同じ彎曲端を具有する。オス端子をオス端子ガード一の中に設置するとき、彎曲端は斜めスロットに挿入してしっかり引っ掛けることができる。オス端子は簡単に緩んで外れることなく、更に安定する。
【考案の効果】
【００３１】
本考案の構造により、得られる明らかな効果は下記の通りである：
従来の技術案と比べ、本考案はコネクタの構造を優良化したものであり、コネクタの防水防塵問題を解決した。解決方法は内から外まで八つのガードを具有する。
一、外シールリングをオス本体パーツの嵌合端に套設する。
二、オス端子ガードをオス端子の外周に套設する。
三、オス端子シールリングをオス端子ガードとオス本体パーツの端部の交わる部分に套設する。
四、鋳造品シールリングを鋳造品本体パーツとオス本体パーツが嵌合して交わる部分に套設する。
五、前部シールリングはメス本体パーツの外に套設する。
六、鋳造品蓋は鋳造品本体の遠嵌合端に圧装する。
七、オス端子がオス本体パーツの端部から突出した部分に防水接着剤を塗布する。
八、後部シールリングを後部シールカバー内に套設し、且つ後部シールカバーによりメス本体部品の遠嵌合端にしっかりと押し込む。
オスコネクタとメスコネクタが互いに嵌合する時、オス端子部品をメス端子部品の中に挿入する。外シールリングと前部シールリングはオスコネクタとメスコネクタが嵌合して交わる部分に位置する。
【００３２】
シールリングの措置のほか、更に五つの強化措置がある： 
一、溝と第一引掛点は互いにしっかりと引っかかり、オスコネクタとメスコネクタが嵌合して緩まないのを確保する。
二、第二引掛点と引掛スロットは互いにしっかりと引掛り、メス本体パーツと後部シールリングの組み合わせが頑丈であることを確保する。
三、引掛タングと第二引掛スロットは互いにしっかり引っ掛って固定し、シールド外部品がメス本体パーツに挿入する際にしっかり引っ掛るのを確保する。引掛点がしっかりと引掛スロットに引掛り、メス端子ガード一が安定してシールド外部品の中に挿入するのを確保する。このようにダブルの引掛り構造により、シールド外部品と端子が本体内で緩みにくく外れにくいことを保証する。
四、端子引掛棒を端子槽の中で引っ掛ることで、メス端子ガード一とメス端子ガード二とが互いにしっかりと引っ掛ることを確保する。
五、オス端子をオス端子ガード一の中に設置するとき、彎曲端は斜めスロットに挿入してしっかり引っ掛けることができ、オス端子は簡単に緩んで外れることなく、更に安定することを確保する。
【図面の簡単な説明】
【００３３】
【図１】ＨＳＤコネクタのオスコネクタの組立略図である。
【図２】ＨＳＤコネクタのメスコネクタの組立略図である。
【図３】ＨＳＤコネクタのオスコネクタの分解図である。
【図４】ＨＳＤコネクタのメスコネクタの分解図である。
【図５】オス端子が嵌合して交わる部分に防水接着剤を塗布する図である。
【考案を実施するための形態】
【００３４】
以下、図１から図５及び具体的な実施例を使って、本考案を詳細に説明するが、本考案を限定するものではない。
【実施例１】
【００３５】
一種のＨＳＤコネクタであり、それに含まれるオスコネクタ１とメスコネクタ２は互いに嵌合する。
【００３６】
図１及び図３に示すように、オスコネクタ１に含まれるのはオス本体部品１１、オス端子部品１２及び鋳造品部品１３である。
【００３７】
図２及び図４に示すように、メスコネクタ２に含まれるのはメス本体部品２１、メス端子部品２２及びシールド部品２３である。
【００３８】
オス端子部品１２を鋳造品部品１３の中に挿設する。オス端子部品１２と鋳造品部品１３を組み合わせたものの一端をオス本体部品１１の中に圧接する。
【００３９】
メス端子部品２２とシールド部品２３をメス本体部品２１の中に挿設する。オス本体部品１１に含まれるのはオス本体パーツ１１１と外シールリング１１２である。オス端子部品１２に含まれるのはオス端子１２１、オス端子ガードとオス端子シールリング１２４である。
【００４０】
外シールリング１１２をオス本体パーツ１１１の嵌合端に套設する。オス端子ガードをオス端子１２１の外周に套設する。オス端子シールリング１２４をオス端子ガードとオス本体パーツ１１１の端部の交わる部分に套設する。
【００４１】
鋳造品部品１３に含まれるのは鋳造品本体パーツ１３１と鋳造品シールリング１３２である。鋳造品シールリング１３２を鋳造品本体パーツ１３１とオス本体パーツ１１１が嵌合して交わる部分に套設する。
【００４２】
メス端子部品２２とシールド部品２３をメス本体部品２１の中に挿設する。メス本体部品２１はゴムで作られ、それに含まれるのはメス本体パーツ２１１と前部シールリング２１２である。前部シールリング２１２はメス本体パーツ２１１の外に套設する。
【００４３】
オスコネクタ１とメスコネクタ２が互いに嵌合する時、オス端子部品１２をメス端子部品２２の中に挿入する。外シールリング１１２と前部シールリング２１２はオスコネクタ１とメスコネクタ２が嵌合して交わる部分に位置する。
【実施例２】
【００４４】
実施例１の基礎において、図３に示すように、鋳造品本体１３１は嵌合体１３４を含む。嵌合体１３４はオス本体パーツ１１１の中に圧装する。鋳造品シールリング１３２は嵌合体１３４とオス本体パーツ１１が嵌合して交わる部分に套設する。
【実施例３】
【００４５】
上記実施例の基礎において、図３に示すように、オス端子ガードに含まれるのはオス端子ガード一１２２とオス端子ガード二１２３である。オス端子ガード一１２２をオス端子１２１の外周に套設する。オス端子ガード二１２３をオス端子ガード一１２２の外周に套設する。オス端子シールリング１２４をオス端子ガード二１２３とオス本体パーツ１１１の端部の交わる部分に套設する。
【実施例４】
【００４６】
上記実施例において、図４に示すように、メス本体部品２１は後部シールリング２１３と後部シールカバー２１４を含む。後部シールリング２１３を後部シールカバー２１４内に套設し、且つ後部シールカバー２１４によりメス本体部品２１の遠嵌合端にしっかりと押し込まれる。
【実施例５】
【００４７】
上記実施例において、図４に示すように、メス端子部品２２はメス端子ガード一２２１、メス端子ガード二２２２を含む。メス端子ガード一２２１はパイプ状を呈す。メス端子ガード二２２２は側壁が開口するパイプ状を呈する。
【００４８】
シールド部品２３は金属で作られ、シールド外部品２３１とシールド中部品２３２を含む。
【００４９】
シールド外部品２３１はパイプ状を呈する。シールド中部品２３２は棒状を呈し、横断面は十字の交差する形である。
【００５０】
シールド外部品２３１をメス端子ガード一２２１の外周に套設する。シールド中部品２３２をメス端子ガード一２２１の内腔の中に挿設する。
【実施例６】
【００５１】
上記実施例において、図５に示すように、オス端子１２１の一端はオス本体パーツ１１１から突出する。オス端子１２１がオス本体パーツ１１１の端部から突出した部分に防水接着剤を塗布する。
【実施例７】
【００５２】
上記実施例において、図３に示すように、鋳造品部品１３に含まれるのは鋳造品蓋１３３である。鋳造品蓋１３３は鋳造品本体１３１の遠嵌合端に圧装する。
【実施例８】
【００５３】
上記実施例において、図４に示すように、シールド部品２３に含まれるのはリング２３３である。リング２３３をシールド中部品２３２とメス端子ガード一２２１の内腔の嵌合端の口に套設する。
【実施例９】
【００５４】
上記実施例において、図３に示すように、オス本体パーツ１１１に含まれるのは溝１１３であり、メス本体パーツ２１１に含まれるのは第一引掛点２１５である。オスコネクタ１とメスコネクタ２は互いに嵌合し、溝１１３と第一引掛点２１５は互いにしっかりと引っかかる。
【実施例１０】
【００５５】
上記実施例において、図４に示すように、メス本体部品２１１に第二引掛点２１６を設け、後部シールカバー２１４の内部に引掛スロット２１７を設置する。メス本体部品２１１と後部シールリング２１４を組み立てる時、第二引掛点２１６と引掛スロット２１７は互いにしっかりと引っ掛る。
【実施例１１】
【００５６】
上記実施例において、図４に示すように、メス本体パーツ２１１にプッシュプレート２１８とプッシュバー２１９を設け、プッシュプレート２１８に滑り防止模様を具有する。プッシュプレート２１９の一端は上向きに彎曲して変形する伸縮可能のプッシュバー２１９である。
【００５７】
プッシュプレート２１９は、第一引掛点２１５がオス本体パーツ１１１にある溝１１３に引掛ける或いは外す際に用いられる。
【実施例１２】
【００５８】
上記実施例において、図４に示すように、シールド外部品２３１に外向きに反る引掛タング２３４を設置し、メス本体パーツ２１１の内側に第二引掛スロットを設ける。シールド外部品２３１をメス本体パーツ２１１に挿入するとき、引掛タング２３４と第二引掛スロットは互いにしっかり引っ掛って固定する。
【００５９】
シールド外部品２３１の内側に引掛点２３５を設け、メス端子ガード一２２１に引掛スロット２２３を設ける。メス端子ガード一２２１をシールド外部品２３１の中に挿入する時、引掛点２３４はしっかりと引掛スロット２２３と引っ掛る。
【００６０】
端子をシールド外部品内に固定すると、ダブルの引っ掛りで更に安定し、シールド外部品と端子が本体内にて簡単に緩んで外れないことを保証する。
【実施例１３】
【００６１】
上記実施例において、図４に示すように、メス端子ガード一２２１に端子引掛棒２２５を設け、メス端子ガード二２２２に端子槽２２４を設ける。メス端子ガード一２２１とメス端子ガード二２２２がしっかりと引っ掛る時、端子引掛棒２２５は端子槽２２４の中にて引っ掛る。
【実施例１４】
【００６２】
上記実施例において、図３に示すように、オス端子ガード一１２２の端部には外向きに反る斜めスロット１２５を具有し、オス端子１２１の一端に斜めスロット１２５の反り具合と同じ彎曲端１２６を具有する。オス端子１２１をオス端子ガード一１２２の中に設置するとき、彎曲端１２６は斜めスロット１２５に挿入してしっかり引っ掛けることができる。端子は簡単に緩んで外れることなく、更に安定する。
【００６３】
以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【符号の説明】
【００６４】
１  オスコネクタ
２  メスコネクタ
１１  オス本体部品
１１１  オス本体パーツ
１１２  外シールリング
１１３  溝
１２  オス端子部品
１２１  オス端子
１２２  オス端子ガード一
１２３  オス端子ガード二
１２４  オス端子シールリング
１２５  斜めスロット
１２６  弯曲端
１３  鋳造品部品
１３１  鋳造品本体パーツ
１３２  鋳造品シールリング
１３３  鋳造品蓋
１３４  嵌合体
２１  メス本体部品
２１１  メス本体パーツ
２１２  前部シールリング
２１３  シールリング
２１４  後部シールカバー
２１５  第一引掛点
２１６  第二引掛点
２１７  引掛スロット
２１８  プッシュプレート
２１９  プッシュバー
２２  オス端子部品
２２１  メス端子ガード一
２２２  メス端子ガード二
２２３  引掛スロット
２２４  端子槽
２２５  端子引掛棒
２３  シールド部品
２３１  シールド外部品
２３２  シールド中部品
２３３  リング
２３４  引掛タング
２３５  引掛点
【図１】
0003222434.tif 000003
【図２】
0003222434.tif 000004
【図３】
0003222434.tif 000005
【図４】
0003222434.tif 000006
【図５】
0003222434.tif 000007